(57)【要約】【課題】幌の布地が常に緊張され見栄えがよく、ベビーシートのハンドルばかりでなく、ベビーシートを取り外したセカンドベビーカーの手押し杆にも使用できるベビーカーの幌を得ること。【解決手段】幌本体の外周に弾性線材を配設し、その弾性線材により幌全体に外方への張りをもたせた。【選択図】　図１
2004136697.tif 000002
【特許請求の範囲】
【請求項１】
幌本体の外周に弾性線材を配設し、その弾性線材により幌全体に外方への張りをもたせたことを特徴とする、ベビーカーの幌。
【請求項２】
幌本体の左右先端部には、ベビーシートのハンドル或いはベビーカーの手押し杆への取り付け用のベルトを設けるとともに、幌本体の左右後縁部及び幌本体の後縁部に連接された後部幌の左右縁部には、幌本体に後部幌の側部を連結する連結・解放可能な連結具が設けられていることを特徴とする、請求項１記載のベビーカーの幌。
【請求項３】
幌本体の後縁部に連接された後部幌の左右前縁部にはベビーカーへの取付時に手押し杆に係合する凹部が形成されていることを特徴とする、請求項１または２記載のベビーカーの幌。
【発明の詳細な説明】
【０００１】
【発明の属する技術分野】
本発明は、ベビーカーの幌に係わり、特にベビーシートのハンドル或いはベビーカーの手押し杆に選択的に装着可能な幌に関する。
【０００２】
【従来の技術及び発明が解決しようとする課題】
一般に、ベビーカーにおいては、そのベビーカー本体にベビーシートを着脱可能とし、１歳未満の乳幼児を乗せる場合には、ベビーカー本体に上記ベビーシートを取り付け、そのベビーシートに乳幼児を寝かせるようにして使用し、その乳幼児が或る程度大きくなった場合には、上記ベビーシートを取り外し、ベビーカーの座部に幼児を腰掛けるようにして乗せ通常のベビーカーとして使用することが行われている。
【０００３】
図９は、上記ベビーカー本体１０にベビーシート１１を装着した状態を示す図であり、上記ベビーシート１１には逆Ｕ字状の幌取り付け部材を兼ねるハンドル１２が揺動可能に設けられている。上記ベビーシート１１はベビーカー本体１０に着脱可能としてあり、１歳未満の乳幼児を乗せる場合には図９の状態にベビーカー本体１０にベビーシート１１を装着し、そのベビーシート１１に乳幼児を寝かせて使用する。一方、ベビーカー本体１０からベビーシート１１を取り外した場合には、ハンドル１２を垂直状態にして手で持つことにより、乳幼児をベビーシート１１に寝かせたまま移動するキャリーとして使用することもできる。また、図１０に示すようにベビーシート１１を取り外したベビーカー本体１０はその状態で通常のセカンドベビーカーとして使用することができる。
【０００４】
ところで、上述のようにベビーシート１１を装着したベビーカーにおいては、布地で形成された日除け用の幌を上記ベビーシート１１のハンドル１２に固定する方法で取り付けられているため、上記ベビーシート１１を除去した状態で使用する場合には、上記幌はベビーシート１１を取り外したベビーカー本体１０には使用できない。したがって、ベビーシート１１のハンドル１２に取り付ける幌と、ベビーカーの手押し杆１３に取り付けるようにした幌とをそれぞれ別々に準備しておく必要がある等の問題がある。また、上記ベビーシート１１をベビーカー本体１０に取り付けている場合には、上述のようにベビーシート１１のハンドル１２に幌が固定されているので、乳幼児の前面からの陽射しを遮断することができず、さらにその幌はベビーシート１１のハンドル１２に固定されているだけなので、幌に張りがなく見栄えが悪い等の問題がある。
【０００５】
本発明は、このような点に鑑み、幌の布地が常に緊張され見栄えがよく、ベビーシート１１のハンドル１２ばかりでなく、ベビーシート１１を取り外したセカンドベビーカーの手押し杆１３にも使用できるベビーカーの幌を得ることを目的とする。
【０００６】
【課題を解決するための手段】
請求項１に係る発明は、ベビーカーの幌において、幌本体の外周に弾性線材を配設し、その弾性線材により幌全体に外方への張りをもたせたことを特徴とする。
【０００７】
請求項２に係る発明は、請求項１に係る発明において、幌本体の左右先端部には、ベビーシートのハンドル或いはベビーカーの手押し杆への取り付け用のベルトを設けるとともに、幌本体の左右後縁部及び幌本体の後縁部に連接された後部幌の左右両側縁には、幌本体に後部幌の側部を連結する連結・解放可能な連結具が設けられていることを特徴とする。
【０００８】
請求項３に係る発明は、請求項１または２に係る発明において、幌本体の後縁部に連接された後部幌の左右前縁部にはベビーカーへの取付時に手押し杆に係合する凹部が形成されていることを特徴とする。
【０００９】
【発明の実施の形態】
以下、図１乃至図８を参照して本発明の実施に形態について説明する。
【００１０】
図１は、本発明におけるベビーカーの幌の平面図であり、幌本体２０の前縁部２０ａは弧状に形成され後縁部２０ｂはほぼ直線状に形成されており、変形した楕円状に形成されている。上記幌本体２０の外周には繊維強化プラスチックの如き弾性線材２１がリング状に挿入装着されており、上記弾性線材２１により幌の布地が常に放射方向に緊張された状態になるようにしてある。
【００１１】
上記幌本体２０の後縁部には、使用時に後方からの陽射しを遮るための後部幌２２が接続されている。上記後部幌２２は、幌本体２０との連接部から左右に突出する広がり部２２ａが形成されており、その左右の広がり部２２ａの幌本体２０と対向する縁部にベビーカー本体１０の手押し杆１３と係合可能な凹部２３が形成されている。また、上記後部幌２２の外面には左右両側縁に沿って面ファスナー２４が装着されている。
【００１２】
一方、前記幌本体２０の裏面には、その左右部に使用時にベビーシート１１のハンドル１２或いはベビーカー本体１０の手押し杆１３に上記幌本体２０を固定するためのベルト２５が設けられている。上記ベルト２５は、図２に示すように、前後の２本のベルト片２５ａ、２５ｂからなり、上記両ベルト片２５ａ、２５ｂの先端部に設けられたホック２６ａ、２６ｂを係合させることにより、幌の使用中に上記ベルト２５によって幌本体２０をベビーシート１１のハンドル１２或いはベビーカー本体１０の手押し杆１３に取り付けることができるようにしてある。さらに、幌本体２０の後縁部２０ｂの裏面にはその左右部に、上記後縁部２０ｂに沿って延び、前記後部幌２２の面ファスナー２４を係合させることができる面ファスナー２７が装着されている。
【００１３】
しかして、上記幌の使用時には、図３に示すように、幌本体２０の左右端部を互いに近づけ、逆Ｕ字状に屈曲させると、幌布は前記繊維強化プラスチックの如き弾性線材２１によって矢印に示すように放射方向に引っ張られて緊張状態となり、その形状が保持される。
【００１４】
すなわち、上記幌をベビーシート１１のハンドル１２に装着する場合には、上記ハンドル１２の上方に載置し、上記幌本体２０を図３に示すように屈曲させて左右のベルト片２５ａ、２５ｂを上記ハンドル１２における左右の垂直部の内面側に巻き付けて、ホック２６ａ、２６ｂを係合させることにより、幌本体２０を上記ハンドル１２に固着するとともに、下方に垂下されている後部幌２２の左右の面ファスナー２４を幌本体２０の面ファスナー２７に係合させることにより、その幌の装着を行うことができる。図５は幌をハンドル１２に装着した状態を示す一部断面図である。
【００１５】
一方、上記幌をベビーシート１１をベビーカー本体１０から取り除いたセカンドベビーカー本体１０の手押し杆１３に装着する場合には、図６に示すように、幌本体２０を左右の手押し杆１３の上方に配置し、左右のベルト２５を上記手押し杆１３に巻き付けることにより、幌本体２０を手押し杆１３に固定するとともに、後部幌２２を左右の手押し杆１３の間に通し、後部幌２２の凹部２３を各手押し杆１３に係合させ、面ファスナー２４を幌本体２０の内面の面ファスナー２７に係合させる。ベビーカー本体１０の手押し杆１３に幌を取り付けた状態を図７に示す。
【００１６】
このように、同一の幌をベビーシート１１のハンドル１２或いはベビーカー本体１０の手押し杆１３に対して選択的に装着することができるとともに、いずれの場合にも弾性線材２１により放射方向に引っ張られているので、幌布が緊張した状態になり、見栄えをよくすることができる。また、幌をベビーシート１１のハンドル１２に装着する場合に、幌の前後を反対側にすることにより、前側或いは後側からの陽射しを選択的に遮ることができる。
【００１７】
また、上記幌を使用しないときには、図８に示すように３つ折り状態に折り畳むことによりコンパクトにすることができる。すなわち、図８（ａ）は幌本体２０及び後部幌２２からなる幌の平面図であり、これを折り畳む場合には、幌本体２０の弾性線材を長手方向の２箇所で鎖線で示すように順次同一方向にねじり、そのねじり部で幌本体２０を折り畳み、後部幌２２の内面に設けられたゴムひも２８を上記折り畳まれた幌本体の外面に掛け回すことにより、図８（ｂ）のようにコンパクトに畳むことができ、収納等を容易にすることができる。
【００１８】
なお、上記実施の形態においては、後部幌２２及び幌本体２０に面ファスナー２４、２７を設けたものを示したが、ホック等の連結具としてもよく、またベルト２５のホック２６ａ、２６ｂの代わりに面ファスナーを使用してもよい。
【００１９】
【発明の効果】
以上説明したように、本発明は、幌本体の外周に弾性線材を配設しその弾性線材により幌全体に外方への張りをもたせたので、その弾性線材により幌布が常時張った状態に保持され、見栄えをよくすることができ、特に複数の幌骨等を設ける必要もなく、ベビーカー本体等への取り付け部品を少なくしてコストダウンを図ることもできる。
【図面の簡単な説明】
【図１】本発明の幌の平面図。
【図２】幌本体の裏面を示す部分図。
【図３】本発明の幌を使用状態に屈曲させた状態を示す図。
【図４】ベビーシートのハンドルに本発明の幌を装着した状態を示す部分図。
【図５】ベビーシートのハンドルに本発明の幌を装着した一部断面側面図。
【図６】ベビーカー本体の手押し杆に本発明の幌を装着した状態を示す部分斜視図。
【図７】ベビーカー本体の手押し杆に幌を装着した状態を示す斜視図。
【図８】（ａ）、（ｂ）は、幌の折り畳み動作説明図。
【図９】着脱可能なベビーシートをベビーカー本体に取り付けた状態を示す側面図。
【図１０】ベビーカー本体の側面図。
【符号の説明】
１０　ベビーカー本体
１１　ベビーシート
１２　ハンドル
２０　幌本体
２１　弾性線材
２２　後部幌
２３　凹部
２４、２７　面ファスナー
２５　ベルト
２６ａ、２６ｂ　ホック
【図１】
2004136697.tif 000003
【図２】
2004136697.tif 000004
【図３】
2004136697.tif 000005
【図４】
2004136697.tif 000006
【図５】
2004136697.tif 000007
【図６】
2004136697.tif 000008
【図７】
2004136697.tif 000009
【図８】
2004136697.tif 000010
【図９】
2004136697.tif 000011
【図１０】
2004136697.tif 000012